Podtech/llm-jp-corpus-v4-ja_patent huggingface dataset:
(57)【要約】【課題】本発明は、自動車に取りつける日除けとして使用するものであるから、羽根（６）には軽量で、半透明か網目入りの薄い素材が好ましく、尚且つ、自動車の窓ガラスに取りつけて、日除けとなる大きな扇子状のものが必要となる。【解決手段】扇子の開閉時に、羽根（６）には、他の骨組を押し広げる力が働き、その反対に、中空軸（１）から縮まろうとする力が働く、其の、必要に掛かる力を、ガイドパネル（５）に委ねる方法を取ることで、羽根（６）には力は掛から無くなり、限りなく薄くて腰の無い柔らかい素材でも羽根（６）に使用する事が可能となり、又ガイドパネル（５）を厚めにし、丈夫にする事で、より大きな扇子状のものが出来る。【選択図】　　図１
2004142699.tif 000002
【特許請求の範囲】
【請求項１】
〔イ〕　扇子の開閉時に、羽根（６）は他の骨組みを押し広げて、開こうとする力に対し、固定されている中空軸（１）からは縮まろうとする力が働いて来る、中骨組み（４）の、間隔が長くなる程、広げようとする力も大きくなり、中空軸（１）からの反発も大きくなる、其の力は、薄くて腰の無い柔らかい羽根（６）には耐える事はできない、故に、羽根（６）に掛かっていた力をガイドパネル（５）に置き換える方法を取ることで、其のことを解決しょうとする者である。
〔ロ〕　多少、腰の在る、薄いプラスチックの板を、１０ミリ幅位で図３の如く帯状の半円形に切り、扇子の骨組みの本数を考慮して、放射状に広がる扇子の羽根（６）の折れ目と重なり合う様な折れ目を交互に付けて、ガイドパネル（５）とする。其のガイドパネル（５）を、扇子の骨組みに取り付ける事によって中骨組み（４）の間隔を長くとることが出来、其の中骨組み（４）の本数をも少なくする事が出来る。
〔ハ〕　本発明は自動車のドア−ガラスの内側に取り付けるものであるが羽根（６）の素材は、直射日光が避けられ、尚且つ、扇子の向こうが透けてみえる薄い紙、布、網状のプラスチックやビニ−ル製品等の素材が好ましいのでガイドパネル（５）を取りつけた事によって、それらの、腰のない柔らかい素材を使用する事が可能となる。
【請求項２】
〔イ〕　図４の断面図の様に、ａーｂに従って、ガイドパネル（５）の厚みを変える方法により、バネの柔らかい（図４のａ）薄い方から開き始め、薄い方から閉じるといった規則正しい扇子の開き閉じができるものである。
〔ロ〕　ガイドパネル（５）の素材は腰のある紙、布、金属製品でよいがプラスチック製品が好ましい。ガイドパネル（５）を延長して行くと放射状に広がり、扇子の羽根状の物となる。ガイドパネル（５）は不定形である。
【発明の詳細な説明】
【０００１】
〔発明の属する技術分野〕
本発明は、吸盤（８）で車の窓ガラスに取りつけて、車内用の日除けとして使用するものであるが、開閉時の扇子状の羽根（６）は開こうとする力に対して、必ず中空軸（１）から縮まろうとする力が働いて来る、其の力には、腰の無い薄い素材には耐えられず、ガイドパネル（５）に、其の力を委ねる方法を取ることで、羽根（６）となる素材は、限りなく薄くても使用する事が出来るものとなる。
【０００２】
〔従来の技術〕
従来は、外出先の団扇代わりであったり、置物や、踊り用の扇子があった、ガイドパネル（５）を使用する方法によって、薄くて柔らかい素材の、紙や布薄いビニ−ル製品を、羽根（６）の素材として使用する事が可能となり、自動車の日除けとして使用する事ができる。広報テキストの平成５年ー２００２年１０月４日までの検索の結果、（車、日除け）が１０７件、（日除け、車）が９５件、（日除け、自動車）が６８件（自動車、日除け）が７５件（自動車、扇子）が１件、（扇子、団扇）が２０件（扇子）が２１件の提出がありましたが、本件のガイドパネル付き扇子状ドア−日除けに相当する提出物件は０件でした
【０００３】
〔発明が解決しようとする課題〕
扇子の開閉時には、必ず必要な力が中空軸（１）から、羽根（６）に掛かってくる、其のために従来は、中骨組み（４）の本数を多くしたり、大きな扇子になる程、厚みの有る丈夫な羽根が必要であったが、本発明は羽根（６）に掛かる力を、ガイドパネル（５）に委ねる事で、羽根（６）には負担は掛からず薄いテッシュ．ペイパ−のような柔らかい素材でも使用する事ができる。
【０００４】
〔課題を解決するための手段〕
多少、弾力性の在る、薄いプラスチックの板を、約１０ミリ幅で帯状の半円形に切り、扇子の骨組みの本数を考慮して、交互に折り目を付けたものをガイドパネル（５）とするが、そのガイドパネル（５）を延長すると、放射状に広がり、扇子の羽根状のものとなる。中空軸（１）から放射状にそれぞれの骨組みを設け、一枚のガイドパネル（５）を任意の位置に正確に貼りつける方法で扇子の開閉時に、羽根（６）に掛かる力を、ガイドパネル（５）が代わって負担をしてくれるものである
【０００５】
〔発明の実施の形態〕
本発明は、親骨（２）と裏親骨（３）中骨組み（４）の図１の如く、放射状に広げた全ての骨組みに、ガイドパネル（５）を、任意に決めた位置に正確にノリ付けして、更に其の上に、羽根（６）を覆う様にして貼りつけることで、ガイドパネル（５）が、扇子の開き閉じのガイド役ともなるので、薄くて柔らかい布や網入りのビニ−ル製品を、羽根（６）の素材として使用する事が可能となる。
【０００６】
〔実施例〕
中空軸（１）から、一端に親骨（２）を設け、もう一端に裏親骨（３）を設ける、其の、両親骨の間に、数本の中骨組み（４）を、等間隔で放射状に設ける、扇子の折れ目と重なり合う折り目を、交互にガイドパネル（５）に入れ、等間隔で放射状に設けた全ての骨組みに、ガイドパネル（５）を図１の如く貼りつけた状態で、完全な扇子の開閉が出来なければならない、が更に其の上から全体を覆う様に、羽根（６）を重ねて貼りつける。親骨（２）の表面に取って（７）を設け、裏親骨（３）の裏面に吸盤（８）を設ける。
【０００７】
〔発明の効果〕
本発明は、扇子を基本にした構造であるので、自動車の内側のドア−ガラスの上部に、扇子を畳んだ状態にして、二個の吸盤（８）を水平にして、常時取り付けておき、必要に応じて、取って（７）を摘んで、扇子を開く様にして、日除けとして使用するものであり、運転中であっても、一つの動作で簡単に開閉が出来るものである、更に扇子の開閉時に、羽根（６）に掛かる力を、ガイドパネル（５）が代わって負担をしてくれるものであるから、羽根（６）の素材として半透明か網目の入ったビニ−ル系の製品が、視界も良く好ましい。
【図面の簡単な説明】
【図１】ガイドパネルを取りつけた位置を示した扇子状の平面図である。
【図２】扇子状の側面図である。
【図３】ガイドパネルの平面図であり、交互の折り目を示したものである。
【図４】ガイドパネルの断面図であり、ａーｂの厚みの変化を示したものである。
【符号の説明】
１　中空軸
２　親骨
３　裏親骨
４　中骨組み
５　ガイドパネル
６　羽根
７　取って
８　吸盤
【図１】
2004142699.tif 000003
【図２】
2004142699.tif 000004
【図３】
2004142699.tif 000005
【図４】
2004142699.tif 000006
(57)【要約】【課題】本発明は、ウォーターサーバーに直接、飲料水及びお茶等のペットボトルを挿嵌給水できるよう、ペットボトルのキャップ口に上面に円孔があく、円孔キャップの内側に、表面を十字に切欠した柔軟性のパッキンを嵌着したパッキンキャップを用いて、ペットボトルに取り付け、ウォーターサーバーにペットボトルが挿嵌できることで、衛生面にも良く、水やお茶を沸かすことなく挿嵌するだけで、いつでも冷たいお水や、温かいお茶などが飲むことができる便利なウォーターサーバー用ペットボトルパッキンキャップを得る。【解決手段】飲料水やお茶等のペットボトルを直接、ウォーターサーバーに挿嵌給水して、冷温及び加熱保温ができるウォーターサーバーに、挿嵌するペットボトルのキャップ口での水漏れ防止の手段において、ペットボトルのキャップ口に、上面に円孔があく円孔キャップの内側に、表面を十字切欠した柔軟性のパッキンを嵌着したパッキンキャップを螺着し、ウォーターサーバーに挿嵌したペットボトルから飲料水やお茶等の流出を防止する。【選択図】　図１
2004142826.tif 000002
【特許請求の範囲】
【請求項１】
飲料水やお茶等のペットボトルを直接、ウォーターサーバーに挿嵌給水して、冷温及び加熱保温ができるウォーターサーバーに、挿嵌するペットボトルのキャップ口での水漏れ防止の手段において、ペットボトルのキャップ口に、上面に円孔があく円孔キャップの内側に、表面を十字に切欠した柔軟性のパッキンを嵌着したパッキンキャップを螺着し、ウォーターサーバーに挿嵌したペットボトルから飲料水やお茶等の流出を防止するウォーターサーバー用ペットボトルパッキンキャップ。
【発明の詳細な説明】
【０００１】
【発明の属する技術分野】
本発明は、飲料水やお茶等のペットボトルを直接ウォーターサーバーに挿嵌給水し、冷温及び加熱保温できるウォーターサーバーに、ペットボトルを挿嵌給水する時、キャップ口からの水漏れ防止となるペットボトルパッキンキャップに関する。
【０００２】
【従来の技術】
従来、事務所や家庭内において、飲料水やお茶などを冷やして使用するものには、全て専用容器に入ったミネラルウォーターを冷水するウォーターサーバーや、水槽内に水やお茶を入れ冷やせるウォータークーラーがあった。
【０００３】
【発明が解決しようとする課題】
従来のウォーターサーバーでは、全て専用容器のものを使用しないといけない問題や、ウォータークーラーでは水槽内に、直接、水やお茶を注入するため衛生面や注入終るまで付いていないといけない問題があった。
【０００４】
本発明は、ウォーターサーバーに直接、飲料水及びお茶等のペットボトルを挿嵌給水できるよう、ペットボトルのキャップ口に上面に円孔があく、円孔キャップの内側に、表面を十字に切欠した柔軟性のパッキンを嵌着したパッキンキャップを用いて、ペットボトルに取り付け、ウォーターサーバーにペットボトルが挿嵌できることで、衛生面にも良く、水やお茶を沸かすことなく挿嵌するだけで、いつでも冷たいお水や、温かいお茶などが飲むことができる便利なウォーターサーバー用ペットボトルパッキンキャップの提供を目的とするものである。
【０００５】
【課題を解決するための手段】
前記の課題を達成するため、飲料水やお茶等のペットボトルを直接、ウォーターサーバーに挿嵌給水して、冷温及び加熱保温ができるウォーターサーバーに、挿嵌するペットボトルのキャップ口での水漏れ防止の手段において、ペットボトルのキャップ口に、上面に円孔があく円孔キャップの内側に、表面を十字に切欠した柔軟性のパッキンを嵌着したパッキンキャップを螺着し、ウォーターサーバーに挿嵌したペットボトルから飲料水やお茶等の流出を防止する手段を講じている。
【０００６】
【発明の実施の形態】
発明の実施の形態を実施例にもとづき図面を参照して説明する。
図１〜図３で示す実施例では、飲料水やお茶等のペットボトル１を直接、ウォーターサーバー２に挿嵌給水して、冷温及び加熱保温ができるウォーターサーバー２に、挿嵌するペットボトル１のキャップ口３での水漏れ防止として、ペットボトル１のキャップ口３に、上面に円孔４があく円孔キャップ５の内側に、表面を十字切欠６した柔軟性のパッキン７を嵌着したパッキンキャップ８を螺着し、ウォーターサーバー２に挿嵌したペットボトル１から飲料水やお茶等の流出を防止するようになる。
【０００７】
前記のような構成により、図４で示す実施例では、飲料水やお茶等のペットボトル１において、キャップ口３に着くキャップ９を取り外し、パッキンキャップ８と取り換えてペットボトル１に螺着し、ウォーターサーバー２のボトル給水口１０に設けた、給水ノズル１１にペットボトル１を下向きにして、パッキンキャップ８の十字切欠６部分を挿通させてペットボトル１がウォーターサーバー２に水漏れせずに挿着となる。
【０００８】
【発明の効果】
本発明のウォーターサーバー用ペットボトルパッキンキャップは、ペットボトル１をそのままウォーターサーバー２に挿着できるよう、ペットボトル１のキャップ口３にパッキンキャップ８を取り付けて、ペットボトル１からの水漏れを防ぐことで、ウォーターサーバー２に挿着した飲料水やお茶等のペットボトル１から、短時間で熱いお茶や、冷たいお水がいつでも得られるものである。
【０００９】
【図面の簡単な説明】
【図１】本発明のパッキンキャップの実施例を示す斜視図である。
【図２】本発明のパッキンキャップとキャップの取り変える実施例を示す斜視図である。
【図３】本発明のウォーターサーバーにペットボトルを挿着した実施例を示す斜視図である。
【図４】本発明のウォーターサーバーのボトル給水口に設けた給水ノズルの実施例を示す斜視図である。
【符号の説明】
１　ペットボトル
２　ウォーターサーバー
３　キャップ口
４　円孔
５　円孔キャップ
６　十字切欠
７　パッキン
８　パッキンキャップ
９　キャップ
１０　ボトル給水口
１１　給水ノズル
【図１】
2004142826.tif 000003
【図２】
2004142826.tif 000004
【図３】
2004142826.tif 000005
【図４】
2004142826.tif 000006
(57)【要約】【課題】新聞紙や雑誌や荷物を、緩みの無い結びが簡単に出来る補助器具を提供する。【解決手段】下部が細くなっている円筒形から成る本体と紐を固定するレバーと紐の先端部を引っ掛けるフックから成ることを特徴とした紐結び補助器具。【選択図】　図１
2004142823.tif 000002
【特許請求の範囲】
【請求項１】
下部が細くなった円筒形を成した胴体部
【請求項２】
紐の先端部を引っ掛けるレバー
【請求項３】
紐を固定するレバー
【請求項４】
胴体に巻きつけてできた紐の輪が、本器を持ち上げることにより、紐の輪が胴体部から抜け落ち、且つ本器から接続されている紐が本器を持ち上げる事により、紐の輪を締めこむ方法。
【発明の詳細な説明】
【０００１】
【発明の属する技術分野】
この発明は、古新聞、雑誌、荷物などを紐で結ぶ作業を、簡単に且つほどけ難い結びにするための紐結び補助器具である。
【０００２】
【従来の技術】
従来は、大型の機械構造の物などはあった（例えば特許文献１参照）、しかし一般家庭用のコンパクトなものは無かった。
【０００３】
【特許文献１】
特開２００２−２０５７０７号公報
【０００４】
【発明が解決しようとする課題】
これには、次のような欠点があった。
（イ）　紐がナイロン製のため、その伸縮性のため直ぐに結びに緩みが生ずる。
（ロ）　結びにはかなりの力を必要とするため、女性や子供や老人などには大変な労力を必要とされる。
本発明は、これらの欠点を除くためになされたものである。
【０００５】
【課題を解決するための手段】
下部が細くなっている円筒形から成る胴体部１に紐の元を固定レバー２と紐の先端部を引っ掛けレバー３から成る紐結び補助器具。
【０００６】
【発明の実施の形態】
以下、本発明の実施の形態について説明する。
本来、人手による結び方を手先に代わる器具を用いて行なうものである。
（イ）　図９に於いて、紐入り口穴２より紐出口穴にＰＰ紐を通します。
（ロ）　図１０に於いて、紐先７を荷物（新聞紙、古雑誌、ダンボール等）を手前より底を通して荷物の後方より出します。
（ハ）　図１１に於いて、荷物後方より出てきた紐先７を胴体部１に巻きつけるように回します。
（ニ）　図１２に於いて、紐先７の１０ｃｍほどの所を紐引っ掛けフック５に引っ掛けます。この時胴体部１を巻きつけた時に出来る紐の交点は荷物後方から出てきた紐は紐引っ掛けフックに掛ける側の紐の下側を通るように交差させる。
（ホ）　図１３に於いて、紐先７を紐引っ掛けフック５に掛けた後、紐固定レバー４を閉じ、紐元６側がずれないように固定し、上方向に紐結び補助器具を持ち上げます。
（ヘ）　図１４に於いて、紐結び補助器具が上方向に移動することにより胴体部１に巻きつけ輪を形成した紐の輪ｃは、紐引っ掛けフック５に接続された紐ａと紐出口穴３から出ている紐ｂを紐の輪ｃの中心に絞り込んでいきます。
（ト）　図１５に於いて、輪を形成した紐の輪ｃがある程度絞り込まれたら、紐引っ掛けフック５より紐ａを外し、さらに紐結び補助器具を上方向に引き上げることにより紐ｂはさらに紐の輪ｃを絞り込みます。
【０００７】
【発明の効果】
このように、簡単に新聞紙、雑誌、荷物などを、緩みの無い縛りが可能である。
【図面の簡単な説明】
【図１】本発明の正面図である。
【図２】本発明の右側面図である。
【図３】本発明の正面断面図である。
【図４】本発明の右側面断面図である。
【図５】本発明の紐固定レバー部断面図である。
【図６】本発明の紐固定レバー部分解図１である。
【図７】本発明の紐固定レバー部分解図２である。
【図８】本発明の紐引っ掛けフック図である。
【図９】本発明の使用参考図１である。
【図１０】本発明の使用参考図２である。
【図１１】本発明の使用参考図３である。
【図１２】本発明の使用参考図４である。
【図１３】本発明の使用参考図５である。
【図１４】本発明の使用参考図６である。
【図１５】本発明の使用参考図７である。
【符号の説明】
１胴体部
２紐固定レバー
３紐引っ掛けフック
４紐入り口穴
５紐出口穴
６紐元
７紐先
８レバー用バネ
９紐ガイド
１０紐ガイド
１１紐ガイド
１２フック用バネ
１３フック支軸
１４レバー支軸
１５バネ固定軸
ａ紐の部分の名称
ｂ紐の部分の名称
ｃ紐が形成した輪の名称
【図１】
2004142823.tif 000003
【図２】
2004142823.tif 000004
【図３】
2004142823.tif 000005
【図４】
2004142823.tif 000006
【図５】
2004142823.tif 000007
【図６】
2004142823.tif 000008
【図７】
2004142823.tif 000009
【図８】
2004142823.tif 000010
【図９】
2004142823.tif 000011
【図１０】
2004142823.tif 000012
【図１１】
2004142823.tif 000013
【図１２】
2004142823.tif 000014
【図１３】
2004142823.tif 000015
【図１４】
2004142823.tif 000016
【図１５】
2004142823.tif 000017
(57)【要約】【目的】片手で開閉出来る容器【構成】容器の外側と蓋とをばね板又はばね付蝶番で連結して、蓋が弾力によって開く様にし、蓋を閉じた時、対向する位置に設けた止め具にて止まる様にした片手で開閉が出来る容器。【選択図】　　　図１
2004142821.tif 000002
【特許請求の範囲】
【請求項１】
図１に示す様に、容器の上縁部に固着した金属、プラスチック製の板状のばね、又はばね付蝶番によって開口し、裏面にスポンジの様な弾力のある薄板を全面又は所要部分に貼付した蓋を有し、この蓋の固着する位置の対向する位置に指で蓋を押し下げることによって自動的に蓋を密着し、固定させる、平がなのらの字状の止め具を有する開口、密閉が簡単な蓋を有する容器。
【請求項２】
らの字状止め具の上の部分と下の部分の境の突出した図６の（２ｂ）の部分を１８０度内外回転する様にしたことを特徴とする止め具を備えた開口、密閉が簡単な蓋を有する容器。
【請求項３】
図６に示す様に、容器の開口部の蓋の取り付けヶ所に対向する位置に水平に磁石を固定し、板ばね、ばね付蝶番等によって開口する蓋の先端部分に、磁石に吸着する材料を取り付け、指で蓋を押し下げた時、自動的に蓋を密着させ、てこによって開口させる磁石を用いた開口密閉が簡単な容器。
【発明の詳細な説明】
【０００１】
【産業上の利用分野】容器
【０００２】
【従来の技術】従来は、容器を密閉する方法としては、ネジ締め方式と、コルク又はゴム等弾力のある物質による栓締め方式があった。
【０００３】
【発明が解決しようとする課題】
本発明は、短時間密閉の必要がある物、特に、食品を入れるキッチン等で用いる容器、例えば、砂糖、食塩、のりの佃煮等の容器として、又は、化学実験、油絵の描画時に用いる解き油等の容器として、片手で、ワンタッチで開口、密閉できる容器の開発。
【０００４】
【課題を解決するための手段】
蓋を気密に密閉するために、蓋の裏全面又は所要の箇所にゴムスポンジの様に弾力があり、且つ気密な材質の薄板を蓋の裏面又は容器の縁に接する部分に貼付し、ばねで開口し、指で押し下げて容器の縁に押し付ければ、蓋がそのまま密閉した状態で止まる様にする。
【０００５】
【実施例１】容器を片手で開口密閉する方法は種々考えられるが、ここではその一例について説明する。
図１は、本発明の斜視図で（１）が容器本体、（２）が止め具、（３）が板ばねである。この板ばね（３）は、一端を蓋（４）の表面に固着し、他端を容器（１）の外側の１点に固着している。板ばね（３）の本体（１）への取付位置は、図２に示す様に、蓋を閉じた時にぎりぎりで蓋が容器の開口部に届くような位置である。又、蓋（４）の裏面には弾力があるウレタンゴム等の薄い板が全面又は容器の開口部の接する部分に貼付してある。止め具（２）は、らの字状の金具で、ばね板（３）の取付位置と対向する位置に、図３に示す様にその下端を固着している。又、上の部分は斜めに外方に倒れて（２ａ）滑り部となり、その下の湾曲点（２ｂ）は押え部となり、その下が弓なりに外方に膨らんでいて、ばね部（２ｄ）となる。膨らみの外方への出具合は、滑り部（２ａ）の上端と、やや同じである。
【０００６】
【実施例２】請求項２について説明する。これは止め具（２）の滑り部（２ａ）を内方に倒れる様に（２ｂ）を蝶番の様に互いに輪を作り、中心にシャフト（２ｆ）を入れたものである。
【０００７】
【実施例３】請求項３について実施の一例を示す。図６，７は請求項３の磁石を用いた本発明の図で、（１１）は、開口部分に密着させた永久磁石、（８）はてこ、（９）は押し上げ棒、（１０）は棒の案内である。指で蓋（４）を押し下げ切ると、蓋の先端部分（１２）は磁石に吸着され易い材料なので、蓋は磁石に吸着し、容器を密閉する。その時、開口時は支点シャフト（８ａ）を中心として右回りに回転するてこ（８）の先端に回転自在に付けられた押し上げ棒は、蓋によって押し下げられている。
蓋を開口させるには、てこ（８）の端部（８ｃ）を押し下げれば、蓋は磁石を離れ、吸着力にばねの開口圧力が勝るため、蓋は開口する。
【０００８】
【発明の使用方法および効果】
図２の（１０）は砂糖又は食塩で、共に湿気を嫌うので、密閉しておかなければならず、しかも頻繁に使うので、簡単に開閉できるものが望ましい。
本発明は、この様な場合に最も適している。即ち、蓋（４）を指先で閉める方向に押付ければ蓋（４）の先端は止め具（２）の滑り部（２ａ）に接触し、押し続ければ、ばね部（２ｄ）により、外方に退き、蓋（４）は（２）湾曲点（２ｂ）を通り蓋の裏に貼り付けた弾力薄板（５）が容器の縁に食い込んだ所で止まる。そこで指を離しても止め具（２）の押え部（２ｂ）が元の位置に戻っているので蓋は密閉状態で開かない。
又、開ける時は、図４に示す様に、指先で止め具（２）の滑り部（２ａ）を外方に押せば、蓋（４）はばね板（３）の弾力によって簡単に開く。
又、もし積み重ねて、重さが滑り部（２ｂ）にかかる憂いのある時は、（請求項２）の構造の物を用い、収納時には（２ｂ）を前方に倒しておけば、滑り部が消滅しているので、蓋が開く心配はない。
本発明は、キッチン用として、又は薬品を扱う場合に於いても極めて有効である。
【図面の簡単な説明】
【図１】本発明の請求項１の容器の斜視図
【図２】図１のａ−ａ′線に於ける断面図
【図３】図１の閉口時のａ−ａ′線に於ける断面図
【図４】請求項２の止め具を備えた本発明の断面図
【図５】請求項２の止め具を倒した断面図
【図６】請求項３の本発明の全体の斜視図
【図７】請求項３の密閉した時の斜視図
【符号の説明】
（１）容器本体
（２）止め具
（２ａ）滑り部
（２ｂ）押え部
（２ｃ）ハネ上がり部
（２ｄ）ばね部
（２ｅ）固着部
（２ｆ）シャフト
（３）板ばね
（３ａ）接続部
（３ｂ）ばね部
（３ｃ）固着部
（４）蓋
（５）スポンジ薄板
（６）接触部分
（７ａ）ばね付蝶番
（７ｂ）ばね
（７ｃ）シャフト
（８）てこ
（８ａ）支点用のシャフト
（８ｂ）移動穴
（８ｃ）てこの端部
（９）押し上げ棒
（１０）棒の案内
（１１）磁石
（１２）磁石に吸着する材料部分
【図１】
2004142821.tif 000003
【図２】
2004142821.tif 000004
【図３】
2004142821.tif 000005
【図４】
2004142821.tif 000006
【図５】
2004142821.tif 000007
【図６】
2004142821.tif 000008
【図７】
2004142821.tif 000009
(57)【要約】　　　（修正有）【課題】従来のティシュ収納箱においては、流通時にすでに成形されている物は形状に制限がある。また、組み立て方式の物は、部品が複数存在し、組み立て作業が複雑だった。ポケットティシュ包装袋に収納できる収納箱を提供する。【解決の手段】使用時に立体化させるまで折りたたんだ状態にしておくことができ、使用時の形状に制限されない。また、使用時直前に簡易な組み立て作業で立体化させ、使用できる。また、折りたたんだ状態で袋状に収納されたポケットティシュの包装袋の一部分Ｆに収めることができる寸法▲１▼ａＸ，▲１▼ａＹとした。【選択図】図３
2004142822.tif 000002
【特許請求の範囲】
【請求項１】
折りたたまれた状態時には、袋状に包装されたポケットティシュの袋の一部分に収められ、使用時には、簡易に箱状に立体化でき、ティシュの補充と取り出しが容易にできる簡易立体化型ポケットティシュ収納箱。
【発明の詳細な説明】
【０００１】
【発明の属する技術分野】
この発明は、折りたたんだ状態のときは、ポケットティシュ包装袋の一部分に収められ、使用時には簡易に箱状に立体化でき、ティシュの補充と取り出しが容易にできるポケットティシュ収納箱である。
【０００２】
【従来の技術】
従来、袋状に収納されたポケットティシュのティシュ部を取り出して収納、使用するための紙・プラスチック・木・陶器製等の収納箱はある。
【０００３】
【発明が解決しようとする課題】
従来のティシュ収納箱においては、流通時にすでに成形されている物は形状に制限がある。また、組み立て方式の物は、部品が複数存在し、組み立て作業が複雑だった。また、袋状に包装されたポケットティシュ包装袋の一部に収納できる物はない。
【０００４】
【課題を解決するための手段】
この発明▲１▼ａ、▲１▼ｂは、使用時に立体化させるまで折りたたんだ状態にしておくことができ、使用時の形状に制限されない。また、使用時直前に簡易な組み立て作業で立体化させ、使用できる。また、折りたたんだ状態で袋状に収納されたポケットティシュの包装袋の一部分に収めることができる寸法とした。これは、包装されたポケットティシュの包装袋とテッシュ本体の寸法の差異を利用している。
【０００５】
【発明実施の形態】
本発明を図面において説明すれば、
2004142822.tif 000003
Ａ１、Ａ２をＢに、Ａ３，Ａ４をＣに、それぞれ接着、次にＤをＥの背面に接着すると図２となる。
（ロ）図２の形態になった本品▲１▼ａは、袋状に包装されたポケットティシュ▲２▼の開口された一部分Ｆに収められる（図３）。
（ハ）使用時は、図３で示したＦ部より収められた本品▲１▼ａを取り出し、ティシュ出し入れ口Ｇ面を上にしてＥ１、Ｅ２を平面になるまで押し上げる（図４）。さらにＨ１，Ｈ２とＩ１、Ｉ２を９０°立ち上げることで、本品▲１▼ａは立体化され使用時形態の収納箱となる（図５）。
（ニ）図５において、使用時は、包装されたポケットティシュ袋から、ティシュ本体を取り出して、本品▲１▼ａのティシュ出し入れ口Ｇより補充し必要に応じて取り出し使用する。
2004142822.tif 000004
（ヘ）図７の形態になった本品▲１▼ｂは、袋状に包装されたポケットティシュ▲２▼の開口された一部分Ｆに収められる（図８）。
（ト）使用時は図８で示したＦ部より収められた本品▲１▼ｂを取り出し、ティシ
2004142822.tif 000005
る（図１０）。
（チ）図１０において、使用時は、包装されたポケットティシュ袋から、ティシ
2004142822.tif 000006
応じて取り出し使用する。
（リ）寸法については、図２・図７の形状時において、最下部の辺の長さ▲１▼ａＸ，▲１▼ｂＸが、図３・図８における、袋状に包装されたポケットティシュ▲２▼の包装袋▲３▼の長辺の長さＸ１と比較し、短い。かつ図２・図７の形状時において、側辺▲１▼ａＹ，▲１▼ｂＹが、図３・図８における、袋状に包装されたポケットティシュ▲２▼の包装袋▲３▼の側辺の長さＹ１と比較し、同じか短い。同時に図５と図１０の形状時において、長辺▲１▼ａＰ，短辺▲１▼ａＱと、長辺▲１▼ｂＰ，短辺▲１▼ｂＱは、それぞれ袋状に包装されたポケットティシュ▲２▼に内包されたティシュの、長辺と短辺の寸法と同じか長い。
【０００６】
【発明の効果】
本発明は、折りたためられ、簡易に立体化させ使用できるものである。使用時までの形状が、縮小されているので商品の管理・移動が容易である。また、素材として紙等を使用することで、素材への印刷が自由にできるため、印刷メッセージの多彩な訴求表現ができる。また、折りたたんでポケットティシュ包装袋の一部に収められるため、従来のポケットティシュを使用した販売促進用品としての流通性は損なわれず、更に高いメッセージ訴求性を表現できる可能性を持った。
【図面の簡単な説明】
【図１】本発明▲１▼ａの展開図である。
【図２】本発明▲１▼ａの折りたたみ時の斜視図である。
【図３】本発明▲１▼ａの折りたたみ使用時の斜視図である。
【図４】本発明▲１▼ａの組み立て中の斜視図である。
【図５】本発明▲１▼ａの立体化時の斜視図である。
【図６】本発明▲１▼ｂの展開図である。
【図７】本発明▲１▼ｂの折りたたみ時の斜視図である。
【図８】本発明▲１▼ｂの折りたたみ使用時の斜視図である。
【図９】本発明▲１▼ｂの組み立て中の斜視図である。
【図１０】本発明▲１▼ｂの立体化時の斜視図である。
【符号の説明】
▲１▼ａ　ティシュ収納箱本体
▲１▼ｂ　ティシュ収納箱本体
▲２▼　袋状に包装されたポケットティシュ
▲３▼　ポケットティシュ包装袋
【図１】
2004142822.tif 000007
【図２】
2004142822.tif 000008
【図３】
2004142822.tif 000009
【図４】
2004142822.tif 000010
【図５】
2004142822.tif 000011
【図６】
2004142822.tif 000012
【図７】
2004142822.tif 000013
【図８】
2004142822.tif 000014
【図９】
2004142822.tif 000015
【図１０】
2004142822.tif 000016
(57)【要約】【課題】ワイシャツ等の襟付きシャツを折畳状態で保形する。【解決手段】底面板１の両側に側面板２、斜縁板３、内立板４及び押当板５を、両端に端面板６及び蓋板７をそれぞれ順次連設し、底面板１から側面板２を起立させ、斜縁板３、内立板４及び押当板５を巻き込むように折り曲げて、押当板５でシャツの身頃を押さえ、対向する内立板４の間にシャツの襟を収め、底面板１から端面板６を起立させ、蓋板７を斜縁板３に重ねて閉じる。【選択図】　図２
2004142807.tif 000002
【特許請求の範囲】
【請求項１】
底面板１の両側に側面板２、斜縁板３、内立板４及び押当板５を順次連設し、底面板１から側面板２を起立させ、斜縁板３、内立板４及び押当板５を巻き込むように折り曲げて、押当板５でシャツの身頃を押さえ、対向する内立板４の間にシャツの襟を収めるようにしたシャツ保形体。
【請求項２】
前記底面板１の両端に端面板６及び蓋板７を順次連設し、底面板１から端面板６を起立させ、蓋板７を斜縁板３に重ねて閉じるようにした請求項１に記載のシャツ保形体。
【発明の詳細な説明】
【０００１】
【発明の属する技術分野】
この発明は、ワイシャツ等の襟付きシャツを折畳状態で保形する紙製の保形体に関するものである。
【０００２】
【従来の技術】
一般に、通信販売の商品としてワイシャツを客先に配送する際には、図６に示すように、各一対の側面板５１及び端面板５２から周壁をなし、その下縁に連設した底板５３，５４を噛み合わせて底面を閉止し、端面板５２の上縁から延びる蓋受片５５を内側へ折り曲げ、一方の側面板５１の上縁に連設した蓋板５６を閉じ、その先端の差込片５７を箱内に差し込んで封緘する紙箱を使用する。
【０００３】
【発明が解決しようとする課題】
しかしながら、上記のような紙箱による梱包では、シャツの型崩れを防止するため、プラスチック製の保形材や金属製のピンを多数必要とする。
【０００４】
このため、包装にコストがかかるほか、廃棄時に分別して処分しなければならないごみが多量に発生するという問題がある。
【０００５】
そこで、この発明は、梱包状態での襟等の型崩れを簡単に防止できるシャツ保形体を提供しようとするものである。
【０００６】
【課題を解決するための手段】
上記課題を解決するため、この発明に係るシャツ保形体は、底面板の両側に側面板、斜縁板、内立板及び押当板を順次連設し、底面板から側面板を起立させ、斜縁板、内立板及び押当板を巻き込むように折り曲げて、押当板でシャツの身頃を押さえ、対向する内立板の間にシャツの襟を収め、ピン等を用いなくても、型崩れが防止されるようにしたのである。
【０００７】
前記底面板の両端に端面板及び蓋板を順次連設し、底面板から端面板を起立させ、蓋板を斜縁板に重ねて閉じるようにして、保形体が収納箱になるようにしたのである。
【０００８】
【発明の実施の形態】
以下、この発明に係るシャツ保形体を収納箱とした実施形態について、添付図面に基づいて説明する。
【０００９】
この収納箱のブランクでは、図１に示すように、底面板１の両側に側面板２、斜縁板３、内立板４及び押当板５が、両端に端面板６及び蓋板７がそれぞれ順次連設されている。斜縁板３の先端縁は一側へかけて迫り出すように傾斜し、押当板５には波状縁が形成されている。
【００１０】
側面板２の両側には折曲片８が連設され、折曲片８には切込９が形成されている。一方の蓋板７には係合穴１０が穿設され、他方の蓋板７には先端から突出する摘み片１１及びその根元の切込による係合片１２が設けられている。
【００１１】
上記ブランクを組み立てて、ワイシャツ等の襟付きシャツを梱包する際には、図２に示すように、底面板１から側面板２を起立させ、斜縁板３、内立板４及び押当板５を巻き込んで、押当板５でシャツの身頃を押さえ、対向する内立板４の間にシャツの襟が収まるようにする。
【００１２】
そして、図３に示すように、側面板２から延びる折曲片８を内側へ折り曲げ、切込９同士を噛み合わせた状態で、底面板１から端面板６を起立させ、蓋板７を斜縁板３に重ねて閉じ、摘み片１１を折り曲げつつ、係合片１２を係合穴１０に係合させた後、摘み片１１を元に戻して、蓋板７の閉止状態を維持する。
【００１３】
このようにシャツを梱包すると、クリップやピン等を用いなくても、シャツの折畳状態が押当板５により維持され、シャツの襟が内立板４で保護されて、その型崩れが防止されるので、シャツの包装を簡素化することができる。
【００１４】
なお、この収納箱は、シャツの配送だけでなく、図４に示すように、蓋板７を後方へ折り返してスタンドにすることにより、洋品売場でのシャツの展示にも使用することができる。このように展示する場合には、斜縁板３にジャケットの襟の図柄を印刷しておくと、着用状態を具体的にイメージさせることができる。
【００１５】
また、図５に示すように、側面板２の上縁を、襟の高さを確保する必要のない方向へかけて低くなるように傾斜させると、２個の収納箱を天地を逆にして重ねたとき嵩張らないので、出張時等に着替用のシャツを鞄に入れて持参する際、シャツの皺を防止する保護ケースとして使用することもできる。
【００１６】
そのほか、袋詰めやラップ包装を行う場合などには、蓋板７等の閉止要素を省略して、保形体として使用することもできる。
【００１７】
【発明の効果】
以上のように、この発明に係るシャツ保形体では、底面板の両側からの延長部を巻き込んで、シャツの身頃を押さえると共に、襟を保護するので、別途保形材やピン等を用いなくても、シャツの型崩れが防止され、包装を簡素化して、コストを抑制すると共に、廃棄に伴い発生するごみの減量化を図ることができる。
【図面の簡単な説明】
【図１】この発明に係るシャツ保形体の実施形態である収納箱のブランクを示す図
【図２】同上の組立過程を示す斜視図
【図３】同上のシャツ梱包状態を示す斜視図
【図４】同上の展示使用状態を示す斜視図
【図５】他の実施形態の積重ね状態を示す斜視図
【図６】従来のシャツ収納箱を示す斜視図
【符号の説明】
１　底面板
２　側面板
３　斜縁板
４　内立板
５　押当板
６　端面板
７　蓋板
８　折曲片
【図１】
2004142807.tif 000003
【図２】
2004142807.tif 000004
【図３】
2004142807.tif 000005
【図４】
2004142807.tif 000006
【図５】
2004142807.tif 000007
【図６】
2004142807.tif 000008
(57)【要約】【課題】コルゲートフィン型の蒸発器を用い、その偏平チューブ２の外面側およびコルゲートフィン３に液体５を散布又は噴霧する蒸発器において、蒸発性能を向上させること。【解決手段】コルゲートフィン３の表面に液滴拡散用の多数の微細な溝４を形成する。【選択図】　　　　図２
2004060934.tif 000002
【特許請求の範囲】
【請求項１】
互いに平行に並列され、夫々内部に加熱流体（１）　が流通する複数の偏平チューブ（２）　と、隣り合う偏平チューブ（２）　間に配置された複数のコルゲートフィン（３）　と、を具備し、
そのコルゲートフィン（３）　の表面に液滴拡散用の多数の微細な溝（４）　が形成され、
そのコルゲートフィン（３）　および偏平チューブ（２）　の外面側に、被蒸発用の液体（５）　が供給される蒸発器。
【請求項２】
請求項１において、
前記偏平チューブ（２）　の横断面の長軸およびコルゲートフィン（３）　の幅方向が重力方向に位置し、それらの外面に前記液体（５）　が散布又は噴霧されるように構成された蒸発器。
【発明の詳細な説明】
【０００１】
【発明の属する技術分野】
本発明は、水や燃料等の各種液体を加熱ガスによって瞬時に蒸発させる蒸発器に関する。
【０００２】
【従来の技術】
従来の蒸発器は、小隙を有して多数のプレートフィンを並列すると共に、それらに複数の円形チューブを貫通させ、その貫通部を伝熱的に接触固定させたものである。そしてチューブ内に過熱蒸気等の高温の加熱流体を流通させ、チューブ外面及びフィン側に液体を散布又は噴霧し、それを瞬時に蒸発させるものである。
また、円形チューブとプレートフィンとの組合せに代えて、偏平チューブとコルゲートフィンとを組合せ、偏平チューブ内に高温の加熱ガスを流通させることも考えられる。
【０００３】
【発明が解決しようとする課題】
上記のような蒸発器は、散布される液体の流量が多いときや、蒸発器の運転開始当初等のようにフィン表面温度が低い場合、プレートフィンやコルゲートフィンの表面に散布された液体が、その表面張力により球状になることがある。すると、フィンと液体との熱交換が低下すると共に、フィン側の流体の圧力損失が増加する。
そこで、本発明は係る欠点を解消することを目的とする。
【０００４】
【課題を解決するための手段】
請求項１に記載の本発明は、互いに平行に並列され、夫々内部に加熱流体（１）　が流通する複数の偏平チューブ（２）　と、隣り合う偏平チューブ（２）　間に配置された複数のコルゲートフィン（３）　と、を具備し、
そのコルゲートフィン（３）　の表面に液滴拡散用の多数の微細な溝（４）　が形成され、
そのコルゲートフィン（３）　および偏平チューブ（２）　の外面側に、被蒸発用の液体（５）　が供給される蒸発器である。
【０００５】
請求項２に記載の本発明は、請求項１において、
前記偏平チューブ（２）　の横断面の長軸およびコルゲートフィン（３）　の幅方向が重力方向に位置し、それらの外面に液体（５）　が散布又は噴霧されるように構成された蒸発器である。
【０００６】
【発明の実施の形態】
次に、図面に基づいて本発明の実施の形態につき説明する。
図１は本発明の蒸発器の要部説明図であり、図２は同蒸発器に用いられるコルゲートフィン３の略図、図３はその横断面略図である。
この蒸発器は、並列された多数の偏平チューブ２とそれらの間にろう付け固定されたコルゲートフィン３と、夫々の偏平チューブ２が貫通するケーシング６と、ケーシング６の両端部に被嵌される一対のガスヘッダ７とを有する。そしてその蒸発器の上方に液ヘッダ９に連通する複数の枝管１０が突設され、夫々の枝管１０にノズル１１が設けられている。
【０００７】
偏平チューブ２はその内部にインナーフィン１２が設けられ、その横断面の長軸が重力方向に並列される。それと共に、コルゲートフィン３の幅方向が重力方向に位置する。このコルゲートフィン３の表面には、液滴拡散用の多数の溝４が図２及び図３の如く形成されている。即ち、この例ではコルゲートフィン３の幅方向に多数の溝４が並列されている。
コルゲートフィン３はその板厚が一例として０．２ｍｍ程度のものであり、そこに深さ０．１ｍｍ程の溝４が無数に並列されている。
なお、図２及び図３は略図であり、溝４の数は可能な限り多く形成される。
【０００８】
次に、一対のガスヘッダ７には夫々パイプ８の一端が連通する。そしてこのパイプ８を介し、一方のガスヘッダ７に加熱流体１として加熱ガス又は過熱蒸気が供給され、各偏平チューブ２内を流通して他方のガスヘッダ７からそれが流出される。そして液ヘッダ９には液体５として水や燃料等が供給され、それが夫々のノズル１１から偏平チューブ２の外面およびコルゲートフィン３の表面に散布又は噴霧される。すると、その液体５は直ちに図５の如く溝４の存在により拡散し、加熱流体１によってそれが直ちに蒸発する。蒸発体は図示しないダクトを介して外部に導かれる。
【０００９】
次に、図６は本発明の蒸発器のコルゲートフィン３の他の実施の形態であり、この例は無数の溝４がＶ字状にその表面に形成されたものである。このようにすることにより、溝４に液滴１３を確実に保持し、それが下方に流下するのを防止できる。
次に、図７は本発明のさらに他の蒸発器に用いられるコルゲートフィン３の斜視略図であり、この例では無数の溝４がコルゲートフィン３の表面にクロス状に形成されたものである。
なお、溝４はコルゲートフィン３成形用の一対のフィンロールの表面に多数の凸条を形成することにより、コルゲートフィン３の成形時に同時にそれを設けることができる。
【００１０】
【発明の作用・効果】
本発明の蒸発器は、コルゲートフィン３の表面に液滴拡散用の多数の微細な溝４が形成されているため、コルゲートフィン３の表面に付着した液滴１３は、その平面方向に拡散され、加熱流体１によって効率良く直ちに蒸発させることができる。
上記構成において、偏平チューブ２の横断面の長軸およびコルゲートフィン３の幅方向を重力方向に位置し、それらの外面に液体５を散布又は噴霧することができる。この場合には、さらに効率良く液体を蒸発させることができる。
【図面の簡単な説明】
【図１】本発明の蒸発器の斜視略図。
【図２】同蒸発器に用いられるコルゲートフィン３の斜視略図。
【図３】同コルゲートフィン３の横断面拡大図。
【図４】従来型コルゲートフィン３の液滴１３の付着状態を示す説明図。
【図５】本発明の蒸発器の液滴１３の付着状態を示す説明図。
【図６】本発明の蒸発器のコルゲートフィン３の他の例を示す斜視略図。
【図７】同さらに他の例を示すコルゲートフィン３の斜視略図。
【符号の説明】
１　加熱流体
２　偏平チューブ
３　コルゲートフィン
４　溝
５　液体
６　ケーシング
７　ガスヘッダ
８　パイプ
９　液ヘッダ
１０　枝管
１１　　ノズル
１２　　インナーフィン
１３　　液滴
【図１】
2004060934.tif 000003
【図２】
2004060934.tif 000004
【図３】
2004060934.tif 000005
【図４】
2004060934.tif 000006
【図５】
2004060934.tif 000007
【図６】
2004060934.tif 000008
【図７】
2004060934.tif 000009
(57)【要約】【課題】古紙を主原料とする再生パルプを使用した新聞用紙であっても、その紙厚の低下を防止することができ、しかも印刷作業性にもすぐれた古紙使用嵩高新聞用紙とその製造方法を提案すること。【解決手段】古紙を原料とする再生パルプを３０〜１００％使用し、該パルプに紙用嵩高剤を同パルプ比３〜１２ｋｇ／ｔ添加して得られる紙原料を抄紙すること。古紙は、雑誌古紙を配合してもよい。製造された新聞用紙は、坪量が３６〜４９ｇ／ｍ２で、緊度が０．５５０〜０．７２０ｇ／ｃｍ３とするのがよい。【特許請求の範囲】
【請求項１】
古紙を原料とする再生パルプを３０〜１００％使用し、該パルプに紙用嵩高剤を同パルプ比３〜１２ｋｇ／ｔ添加して得られる紙原料を抄紙することを特徴とする古紙使用嵩高新聞用紙の製造方法。
【請求項２】
古紙が雑誌古紙を含む古紙であることを特徴とする請求項１記載の古紙使用嵩高新聞用紙の製造方法。
【請求項３】
古紙を原料とする再生パルプを３０〜１００％使用し、該パルプに紙用嵩高剤を同パルプ比３〜１２ｋｇ／ｔ添加して得られる紙原料を抄紙して製造された古紙使用嵩高新聞用紙であって、坪量が３６〜４９ｇ／ｍ２で、緊度が０．５５０〜０．７２０ｇ／ｃｍ３であることを特徴とする古紙使用嵩高新聞用紙。
【発明の詳細な説明】
【０００１】
【発明の属する技術分野】
本願発明は、古紙使用嵩高新聞用紙とその製造方法に関するものである。
【０００２】
【従来の技術及び発明が解決しようとする課題】
古紙を原料とする再生パルプを配合した新聞用紙は、古紙の配合率を高めると紙厚が低下し、新聞社によっては、色ズレ、紙流れ、シワ等の印刷作業性のトラブルを引き起こすことから、古紙を原料とする再生パルプの配合率に制限があった。
【０００３】
本願発明は、古紙を主原料とする再生パルプを使用した新聞用紙であっても、その紙厚の低下を防止することができ、しかも印刷作業性にもすぐれた古紙使用嵩高新聞用紙とその製造方法を提案することを目的とするものである。
【０００４】
なお、紙用嵩高剤を応用した古紙使用印刷用紙の先行技術例としては、たとえば、本件出願人の先出願にかかる特願２００２−１５４１２５号ほかがある。
【０００５】
【課題を解決するための手段】
本願発明の古紙使用嵩高新聞用紙とその製造方法は、古紙を原料とする再生パルプを３０〜１００％使用し、該パルプに紙用嵩高剤を同パルプ比３〜１２ｋｇ／ｔ添加して得られる紙原料を抄紙することを基本的特徴とする。
【０００６】
本願発明で使用する紙原料は、古紙を原料とする再生パルプのほか、機械パルプや化学パルプ等があるが、本願発明では、それらの紙原料のうち、古紙を原料とする再生パルプの比率を３０〜１００％（重量比）とする。再生パルプの配合量は、３０％未満では、古紙使用新聞用紙としての意味がなく、したがって再生パルプの配合量は、３０〜１００％とする（なお、特に限定するものではないが、古紙パルプは嵩が出にくい特徴を持っているという理由から、５０〜１００％あたりが特に良好である）。
【０００７】
原料となる古紙としては、新聞古紙、雑誌古紙等のほか、それらの混合古紙が使用可能である。
【０００８】
製品としての新聞用紙を嵩高にするための紙用嵩高剤としては、特に限定するものではないが、たとえば、ＫＢ１１５（花王株式会社製）がある。本願発明では、紙用嵩高剤を再生パルプに対して３〜１２ｋｇ／ｔの比率で添加する。紙用嵩高剤が対再生パルプ比で３ｋｇ／ｔ未満では嵩高効果が得られず、一方、１２ｋｇ／ｔ超では引張強度が低下する。したがって、紙用嵩高剤は対再生パルプ比で３〜１２ｋｇ／ｔとする（なお、特に限定するものではないが、４〜１０ｋｇ／ｔの範囲が良好な結果が得られる）。
【０００９】
本願発明の製造方法においては、必要に応じて適宜の他の填料（たとえば、タルク）や薬品（たとえば、澱粉、表面サイズ剤）等を使用することは差し支えない。
【００１０】
以上のように調成された紙原料は、適宜型式の抄紙機、乾燥機を経て抄紙、乾燥されて古紙使用の嵩高新聞用紙が製造される。
【００１１】
なお、製造された新聞用紙は、坪量が３６〜４９ｇ／ｍ２（好ましくは３８〜４６ｇ／ｍ２）で、緊度が０．５５０〜０．７２０ｇ／ｃｍ３であることが好ましい。
【００１２】
【発明の効果】
古紙を原料とする再生パルプを配合した新聞用紙は、古紙の配合率を高めると紙厚が低下し、新聞社によっては、色ズレ、紙流れ、シワ等の印刷作業性のトラブルを引き起し、古紙を原料とする再生パルプの配合率に制限があった。しかし、本願発明の古紙使用嵩高新聞用紙は、古紙使用の再生パルプの配合率を高めても、紙厚の低下を防止することが可能となり、又、新聞社でのテスト印刷時にも、シワ、紙流れ、色ズレ等の発生はなく、印刷作業性のトラブルも発生しなかった。
【００１３】
【実施例】
次に、本願発明の好適な実施例を説明するとともに、本願発明の技術的優位性を説明するための比較対象として、いくつかの比較例を例示する。なお、本願発明で使用する古紙としては、新聞古紙あるいは雑誌古紙等があるが、以下の各実施例及び比較例とも、原料古紙として新聞古紙および雑誌古紙を使用した。又、使用した紙用嵩高剤はＫＢ１１５（花王株式会社製）である。
【００１４】
なお、抄紙及び乾燥工程は、ツインワイヤー抄紙機を使用して、１２００ｍ／分で行われた。
【００１５】
表１は、本願発明の方法で製造した新聞用紙（実施例１〜５）と、その他の方法で製造した新聞用紙（比較例１〜３）の諸物性の一覧表である。なお、坪量は、実施例１〜５及び比較例１〜３とも、４３ｇ／ｍ２とした。
【００１６】
【表１】
2004060125.tif 000002
【００１７】
※１　しわが発生する。
※２　強度不足による断紙が発生する。
※３　剣先詰まりの発生および折りが悪く荷崩れが発生する。
(57)【要約】【課題】針全体が針穴になっていてその両端末を針先として利用する。とじあわせだけでなく、特に端糸の始末をするのに便利である。危険性もなく安全で多少目が悪くてもメガネなしで簡単に通せる。機械編み、手編みに限らずすべてに対応できる。便利な「全穴とじ針」を提供する。【解決手段】ある美容器具をヒントに針とは一本でできているもの・・・という従来の考えを捨ていかに簡単に糸が通せるか、そして誰でも使い易くかできるかを工夫した物品である。【選択図】　　図１
2004060132.tif 000002
【特許請求の範囲】
【請求項１】
全体が針穴になっていてその両端が針先になるとじ針。
編み物用具としてだけでなく、固い糸等通すのにも便利である。
【発明の詳細な説明】
【０００１】
【発明の属する技術分野】
この発明は毛糸の中細から超極太まで利用できるとじ針に関するものである。
又その他ゴム通しやヒモ通しとしても利用出来る。
【０００２】
【従来の技術】従来のとじ針は１本の針でできていて、毛糸の太さに応じて針も針穴も大きくなっている。
【０００３】
【発明が解決しようとする課題】
これは次のような欠点があった。
（イ）毛糸の太さを変える事により針の種類も変えねばならなかった。
（ロ）すべてに言える事は針穴が限られている為、毛糸が通しにくい。
毛糸の先が割れてしまう。
（ハ）固い糸（網糸、イタリヤーン等）はどんなに太い針でも通しにくい。
本発明はこのような欠点を解決するために発明されたものである。
【０００４】
【課題を解決するための手段】
針の両端末を針先とし、中心部全体を針穴として利用するのを目的とした。
【０００５】
【発明の実施の形態】
以下、本発明の実施の形態を説明する。
（イ）Ａ，Ｂ又はＡ’，Ｂ’の間を針穴として利用する。（図１）
（ロ）Ａ〜Ｂ’までが針穴になる。（図２）
（ハ）Ａ’〜Ｂ’までが針穴になる。（図３）
（ニ）接続する箇所により先端まで針穴にならない。（図２、３）
（ホ）左右どちらにでも進行出来るため糸足が短くなっても先端を交互に利用したり、糸を針先まで移動させることも可能である。
Ａに糸をつけるとＢ方向に　Ｂに糸をつけるとＡ方向に進行する。（図４）
（ト）両端とも丸みをおびていて、安全で使いやすい。
（チ）真ん中が空間になっている為、弾力があり細い所でも無理なく進行する
（リ）多少曲げても大丈夫なため、幼児服の袖口などのゴム通しに便利である。（ホ）先端にプラスチック、ゴム、接着剤をつけたり溶接、ハンダ、ぎんろう等で接続する等の方法がある他ねじり仕上げの場合もある。
素材・・・金属類＜鉄、銅、アルミ、ステンレス、チタン、記憶合金他プラスチック、竹、木、ピアノ線、等
【０００６】
【発明の効果】この針があれば中細から超極太まで、すべてに対応できる。
毛糸だけに限らず、固い網糸やイタリヤーン、ゴム、ヒモ通しにも利用できる。
【図面の簡単な説明】
【図１】本発明の平面図
【図２】本発明の平面図
【図３】本発明の平面図
【図４】本発明の使用図
【符号の説明】
Ａ、Ｂ又は（Ａ，Ａ’）（Ｂ，Ｂ’）　　　針先
Ａ，Ｂ間又はＡ’，Ｂ’間　　　　　　　　針穴
→　←　　　　　　　　　　　　　　　　　針の進行方向
【図１】
2004060132.tif 000003
【図２】
2004060132.tif 000004
【図３】
2004060132.tif 000005
【図４】
2004060132.tif 000006